(57)【要約】【課題】給水を制御するための電気伝導度計測用センサーの汚れを防止して水洗水の電気伝導度を精度よく計測し、水洗水の供給不足によるめっき不良を防止するとともに、水洗水が無駄に供給されることのない水洗槽の給水装置を提供する。【解決手段】電磁弁１１を通して給水される水洗槽の給水口となるセンサー保持器２の内部の液面より下方位置に電気伝導度を検出するセンサー１を設けた。更に、このセンサー１により電気伝導度を計測する変換器５と、電気伝導度の計測値と伝導度設定器７により設定される設定値とを比較して計測値が設定値を超えたときに信号を発生する比較器６と、比較器６が信号を発生したとき時限設定器９により設定された一定時間出力を発生する時限装置８と、時限装置８が信号を発生したとき前記電磁弁１１を駆動する電磁弁駆動装置１０とを設けた。【選択図】図１
2011074478.tif 000002
【特許請求の範囲】
【請求項１】
水洗槽の給水口内部の液面より下方位置に設けられ水洗水の電気伝導度を検出するセンサーと、このセンサーの出力信号から電気伝導度を計測する計測手段と、電気伝導度の計測値と設定値とを比較して計測値が設定値を超えたときに信号を発生する比較手段と、比較手段が信号を発生したとき一定時間出力を発生する時限手段と、時限手段が信号を発生したとき前記給水口の電磁弁を開くように駆動する電磁弁駆動手段とを設けたことを特徴とする水洗槽の給水装置。
【請求項２】
給水口のセンサー近傍の外周に通水孔を設けたことを特徴とする請求項１に記載の水洗槽の給水装置。
【発明の詳細な説明】
【技術分野】
【０００１】
本発明は、めっき装置の水洗槽に水洗水を供給する水洗槽の給水装置に関するものである。
【背景技術】
【０００２】
めっき処理装置において、ワークは各工程から次工程に移る間に水洗される。この水洗はめっき品質に関わることから、水洗水の水質を一定以上に保つ必要があり、水洗槽に清浄な水を供給して不純物濃度の上昇を抑えるようにしている。多くの場合、この水洗槽への水洗水の供給、停止は作業者がバルブを開閉して行っており、装置の稼働中はワークの量、有無にかかわらず連続して供給されている。節水の観点からは、ワークの量が少ないときに給水量を減らしたり、始業時、終業時等水洗槽にワークがないときに給水を停止したりすることが望ましいのであるが、作業者の手間を要するため殆ど行われておらず、水洗水が無駄に供給されているのが現状である。
【０００３】
水洗水が無駄に供給されることは経済的にも、環境的にも好ましいことではなく、例えば非特許文献１に示されるように、水洗槽に電気伝導度計を設置して給水用電磁弁を制御し、水洗水の量を節減する方法が提案されている。この非特許文献１には多段向流水洗の最終水洗槽に電気伝導度計を設けたものが示されており、水道料金と排水処理費が節約できると記載されている。
【先行技術文献】
【非特許文献】
【０００４】
【非特許文献１】「電気めっき排水処理の管理と実際」  昭和６３年度通産省主催ブロック別研修会テキスト  全国鍍金工業組合連合会  Ｐ４２
【発明の概要】
【発明が解決しようとする課題】
【０００５】
以上述べたように、従来は水洗水が無駄に供給されるという問題があった。非特許文献１に示されるような方法はこの問題を解決する一つの手段であり、水洗槽に電気伝導度計を設けて水洗水の電気伝導度を計測し、電気伝導度が設定した値より大きくなったら給水し、設定した値より小さくなったら給水を停止するものである。ところが、電気伝導度計のセンサーは常時水洗水中に浸漬されるため表面に汚れが付着して電気伝導度の測定精度が低下し、水洗水の水質が悪化しても検知できずに給水されないことがあり、洗浄不良によるめっき不良が生じるという問題があった。また、電気伝導度計のヒステリシスが大きい場合は電気伝導度が小さくなっても電気伝導度計が復帰せず、過剰に給水されるという問題があった。
【０００６】
本発明は上記の問題点を解決しようとするものであり、電気伝導度計測用センサーの汚れを防止して水洗水の電気伝導度を精度よく計測し、水洗水の供給不足によるめっき不良を防止するとともに、水洗水が無駄に供給されることのない水洗槽の給水装置を実現することを目的とするものである。
【課題を解決するための手段】
【０００７】
上記課題を解決するためになされた本発明の水洗槽の給水装置は、水洗槽の給水口内部の液面より下方位置に設けられ水洗水の電気伝導度を検出するセンサーと、このセンサーの出力信号から電気伝導度を計測する計測手段と、電気伝導度の計測値と設定値とを比較して計測値が設定値を超えたときに信号を発生する比較手段と、比較手段が信号を発生したとき一定時間出力を発生する時限手段と、時限手段が信号を発生したとき前記給水口の電磁弁を開くように駆動する電磁弁駆動手段とを設けたことを特徴とするものである。
また、前記給水口のセンサー近傍の外周に通水孔を設けることが好ましい。
【発明の効果】
【０００８】
本発明では、センサーは給水口内部に設けられているので、給水されたときその供給された清浄な水洗水により洗浄されることになり、汚れが付着することはない。
また、給水口のセンサー近傍の外周に通水孔を設けた場合は、給水の停止後センサー近傍に供給された清浄な水洗水と水洗槽内に存在した水洗槽の混合が速やかに行われ、水洗槽内の水洗水の電気伝導度の変化を大きな遅れなく計測できる。
【０００９】
このように本発明では、給水されるたびにセンサーが清浄な水洗水により洗浄されるので汚れが付着することがなく、電気伝導度の測定精度が低下することがない利点がある。これにより水洗水の水質が悪化した時は確実に給水することができ、洗浄不良によるめっき不良の発生を防止することができる効果がある。また、センサーのヒステリシスが大きくても一回の給水は時限手段により終了させられるので過剰に給水されることはない。
【図面の簡単な説明】
【００１０】
【図１】本発明の実施形態を示すブロック図である。
【図２】水洗槽に装着した状態を示す断面図である。
【発明を実施するための形態】
【００１１】
以下に、図面を参照しつつ本発明の好ましい実施の形態を説明する。
【００１２】
図において１は水洗水の電気伝導度を検出するセンサーであり、絶縁材からなる筒状のセンサー保持器２に収納されている。センサー保持器２は水洗槽に給水する給水管３の先端に取り付けられて給水口となっており、センサー保持器２の側面には複数の通水孔４、４が設けられている。水洗槽は従来の水洗槽と同様にオーバーフローで液面が一定に保たれており、センサー保持器２はセンサー１及び通水孔４、４が水洗槽の液面Ｌより下方になるように設置されている。センサー１には計測手段である変換器５から駆動信号が与えられており、変換器５からは電気伝導度の計測信号が出力される。
【００１３】
変換器５の出力は比較手段である比較器６に与えられており、比較器６は変換器５から入力される計測信号が伝導度設定器７によって設定された電気伝導度を超えると出力を発生するように構成されている。比較器６の出力は時限手段である時限装置８に与えられており、時限装置８は比較器６から信号が与えられると時限設定器９によって設定された時間だけ出力を発生するように構成されている。時限装置８の出力は電磁弁駆動手段である電磁弁駆動装置１０に与えられており、電磁弁駆動装置１０は時限装置８から出力が与えられている間だけ給水管３の途中に設けられた電磁弁１１を駆動して電磁弁１１を開くように構成されている。
【００１４】
このように構成された本発明の水洗槽の給水装置において、センサー保持器２はセンサー１及び通水孔４、４が水洗水の液面Ｌより下方になるようにして水洗槽に設置される。多段向流水洗の場合は最終水洗槽に設置される。センサー保持器２は途中に電磁弁１１と水栓１２が設けられた給水管３を介して水源の配水管に接続される。この水栓１２は必要に応じて設けられるものである。これらのセンサー保持器２、給水管３、電磁弁１１等は図２に示すように一体に構成することが可能であり、一体に構成することにより水洗槽のフランジ部に容易に設置することができる。
【００１５】
伝導度設定器７によりこれ以下に維持したいという水洗槽内の水洗水の電気伝導度の目標値を設定し、時限設定器９により一回当たりの給水時間を設定しておく。時限設定器９により設定される時間は水洗槽の容量と一定時間当たりの給水量から適宜定められるもので、例えば３０秒というような時間とする。水洗槽に前工程からワークに付着した処理液が持ち込まれると、水洗槽内の水洗水の電気伝導度が上昇してセンサー１により検知され、変換器５から比較器６に電気伝導度の計測信号が与えられる。この計測信号が伝導度設定器７により設定された設定値を超えると比較器６から時限装置８に信号が与えられる。
【００１６】
時限装置８に信号が与えられると、時限設定器９によって設定された時間だけ時限装置８から電磁弁駆動装置１０に信号が与えられる。電磁弁駆動装置１０に信号が与えられるとその間だけ電磁弁駆動装置１０により電磁弁１１が駆動されて開かれる。電磁弁１１が開かれると給水管３、センサー保持器２を通して水洗槽に給水され、センサー保持器２に収納されるセンサー１はセンサー保持器２内を流れる清浄な水洗水により洗浄される。このとき、センサー１は清浄な水洗水の電気伝導度を検出することになって変換器５により計測される電気伝導度は伝導度設定器７の設定値を下回ることになり、時限装置８には比較器６から信号が与えられなくなるが、時限装置８は時限設定器９によって設定された時間だけ継続して信号を出力する。
【００１７】
時限設定器９によって設定された時間が経過すると、電磁弁駆動装置１０には時限装置８から信号が与えられなくなり、電磁弁１１は駆動されなくなって閉じられ、給水が停止する。給水が停止するとセンサー１付近の水洗水は通水孔４、４及び先端の開口を通して周囲の水洗水と混じり合い、計測される電気伝導度が上昇することになる。電気伝導度が上昇して伝導度設定器７により設定された設定値を超えると、再度上記のように時限設定器９によって設定された時間だけ電磁弁１１が開かれ、水洗水が水洗槽に供給される。以後これが繰り返され、給水が停止した後の電気伝導度が伝導度設定器７により設定された設定値を超えなくなるまで続けられる。これにより水洗槽内の水洗水の電気伝導度は、次にワークが水洗槽に入るまで設定値以下に維持される。
【００１８】
また、水洗槽で設定値を超えたことを検知して給水を開始した後、センサー１の検知した値が小さくなった時から時間計測を開始することもできる。即ち、比較器６から一旦出力が出て、その後、出力がなくなった時から、時限装置８は信号を与えられるようにし、これを繰り返すのである。この方法の場合は、一定時間給水をしても値が低下しなかった場合に、電磁弁１１を閉じることなく連続して給水をすることができる。
【００１９】
以上説明したように、本発明の水洗槽の給水装置では、センサー１は給水されるたびに清浄な水洗水により洗浄されるので汚れが付着することがない。これにより電気伝導度の測定精度が低下することがないので、水洗水の水質が悪化した時は確実にそれを検知して給水することができ、洗浄不良によるめっき不良の発生を防止することができる。また、センサー１のヒステリシスが大きくても一回の給水は時限装置８により終了するので過剰に給水されることはない。
【符号の説明】
【００２０】
１  センサー
２  センサー保持器
３  給水管
４  通水孔
５  変換器
６  比較器
７  伝導度設定器
８  時限装置
９  時限設定器
１０  電磁弁駆動装置
１１  電磁弁
１２  水栓
【図１】
2011074478.tif 000003
【図２】
2011074478.tif 000004